(57)【要約】  【課題】収納室と保温室とを区画した自動販売機で、品質劣化した商品の販売をより確実に防止し、保温室内の冷却または加温効率を高め、補充商品を短時間で適温にできる自動販売機を提供する。  【解決手段】商品収納室３１と冷却または加温する保温室３３とを断熱仕切り板３４によって断熱するので、保温室３３内の冷却または加熱効率を高めることができるとともに、商品搬出後、商品収納室３１の商品が商品補充手段３７にて、保温室３３へ補充された時、補充された商品が最優先で冷却または加温できるよう駆動部３９を制御することにより、補充商品を短時間で適温にできる。【選択図】図３
2008310558.tif 000002
【特許請求の範囲】
【請求項１】
自動販売機本体内が商品を冷却または加温状態で収納する保温室と前記保温室に補充する商品を常温で収納する商品収納室とに断熱区画され、前記保温室内の商品を商品取出し口へ排出する商品搬送手段と、前記商品収納室の商品を前記保温室へ補充する商品補充手段とを備えた自動販売機であって、前記商品補充手段により前記商品収納室から前記保温室へ補充した商品を商品補充後の所定時間だけ前記保温室内の他の商品より優先的に冷却または加温する手段を設けたことを特徴とする自動販売機。
【請求項２】
前記保温室内で商品が比較的冷却または加温されやすい箇所を設け、前記優先的に冷却または加温する手段を、前記商品補充手段により前記商品収納室から前記保温室へ補充した商品を商品補充後の所定時間だけ前記比較的冷却または加温されやすい箇所に位置させる前記商品搬送手段により構成したことを特徴とする請求項１に記載の自動販売機。
【請求項３】
補充商品を優先的に冷却または加温する時間を設定する優先時間設定手段を備え、商品補充後、前記優先時間設定手段で設定した時間だけ、補充商品を最優先で冷却または加温することを特徴とする請求項１または２に記載の自動販売機。
【請求項４】
外気温度を検出する外気温検出手段と、補充商品を優先的に冷却または加温する時間を前記外気温検出手段で検出した外気温に応じて設定する補正優先時間設定手段を備え、商品補充後、前記補正優先時間設定手段で設定した時間だけ、補充商品を最優先で冷却または加温することを特徴とする請求項１または２に記載の自動販売機。
【請求項５】
前記保温室内の商品各々に対して、前記保温室に搬送されてから、商品搬出するまでの商品保温時間を演算する商品保温時間演算手段を備え、商品補充時、前回搬出された商品の保温時間を前記商品保温時間演算手段を基に算出し、今回の補充商品に対して、最優先で冷却または加温する時間を補正することを特徴とする請求項１から４のいずれか一項に記載の自動販売機。
【発明の詳細な説明】
【技術分野】
【０００１】
本発明は、商品の保存収納部と販売待機時の保温部とを分離配置し、商品の品質劣化防止を図った自動販売機に関するものである。
【背景技術】
【０００２】
従来、この種の自動販売機で庫内を、商品を常温で収納する貯蔵室と、商品を販売時の温度に加温または冷却しながら収納する保温室とに上下に分離したものがあった（特許文献１参照）。
【０００３】
図１２は、特許文献１に記載された従来の自動販売機の縦断面図を示すものである。図に示すように、自動販売機本体１内には断熱壁２により囲まれた前面が開閉可能な商品収納庫３が構成され、商品収納庫３内にはセグメント４により上下に蛇行する商品収納室５が形成されている。各商品収納室５には、前面の商品投入口から投入された商品が横倒し姿勢で積み重ねられて多数収納されている。
【０００４】
また、各商品収納室５は上部の貯蔵ゾーン６と下部の加熱ゾーン７とに区画され、その間は回動自在に断熱性のシャッタ８により仕切られている。加熱ゾーン７の下端部には商品搬出機構９が設置され、加熱ゾーン７の１番下の商品を商品搬出機構９で支えている。また、貯蔵ゾーン６の一番下の商品は商品移動機構１０によって支えられている。
【０００５】
加熱ゾーン７の下方には、搬出された商品を前方の商品取出し口１１へ導くシュータ１２が配置され、その内部にはヒータ１３、ファン１４が配置され、加熱ゾーン７に庫内空気を循環送風している。
【０００６】
以上のように構成された自動販売機について、以下その動作を説明する。
【０００７】
加温ゾーン７内の商品ファン１４によりヒータ１３を通じて循環される高温の空気により加温され、例えば５２〜５３℃の適温で販売待機する。一方断熱性のシャッタ８で加熱ゾーン７から仕切られた貯蔵ゾーン６では商品はほぼ常温で貯蔵され加熱ゾーン７の商品数が販売により減少すると商品移動機構１０により、貯蔵ゾーン６内の商品が加熱ゾーン７に移される。
【０００８】
これにより、加熱状態に置かれる加熱ゾーン７の商品数は販売状況に応じた必要最小限に留められ、商品の変質機会を抑えることができる。
【特許文献１】特開平１０−９１８５５号公報
【発明の開示】
【発明が解決しようとする課題】
【０００９】
しかしながら、上記従来の構成では、貯蔵ゾーン６と加熱ゾーン７は断熱性のシャッタ８で仕切られて貯蔵ゾーン６への熱的影響を抑えているものの、シャッタ８は円弧状のセグメント４で形成される商品通路内を仕切っており、複数列の商品通路があると、その個数分だけシャッタ８が必要となり、またセグメント４とシャッタ８の間にはわずかな隙間が形成されやすく、また商品通路と隣合う商品通路の間のスペースにはシャッタ８が形成されておらず、貯蔵ゾーン６と加熱ゾーン７は、少なくとも商品通路スペース部分で連通した構造となっており、加熱ゾーン７内の加熱空気が上昇し貯蔵ゾーン６に侵入し、貯蔵ゾーン６の最下部の商品はその熱的影響により変質しやすく、また加熱ゾーン７内の商品の加熱効率を低くすることになるという課題を有していた。
【００１０】
本発明は、上記従来の課題を解決するもので、自動販売機本体内が商品を冷却または加温状態で収納する保温室と前記保温室に補充する商品を常温で収納する商品収納室とに区画され、前記保温室内の商品を商品取出し口へ排出する商品搬送手段と、前記商品収納室の商品を前記保温室へ補充する商品補充手段とを備えた自動販売機において、保温室内の冷却または加温効率を高め、商品収納室から保温室に補充された商品を短時間で適温にできる自動販売機を提供することを目的とする。
【課題を解決するための手段】
【００１１】
上記目的を達成するために本発明の自動販売機は、自動販売機本体内が商品を冷却または加温状態で収納する保温室と前記保温室に補充する商品を常温で収納する商品収納室とに断熱区画され、前記保温室内の商品を商品取出し口へ排出する商品搬送手段と、前記商品収納室の商品を前記保温室へ補充する商品補充手段とを備えた自動販売機であって、前記商品補充手段により前記商品収納室から前記保温室へ補充した商品を商品補充後の所定時間だけ前記保温室内の他の商品より優先的に冷却または加温する手段を設けたものである。
【００１２】
これにより、保温室と商品収納室とを断熱区画したので、保温室内の冷却または加熱効率を高めることができる。また、保温室内の加熱空気漏れによって商品収納室内へ対流するのを抑制できるので、商品収納室内の商品の品質劣化を低減できる。また、商品搬出後、商品収納室の商品が商品補充手段にて、保温室へ補充された時、補充された商品が最優先で冷却または加温することにより、補充された商品を短時間で適温にできる。
【発明の効果】
【００１３】
本発明の自動販売機は、保温室と商品収納室とを断熱区画することで、商品の品質劣化の防止を図り、保温室を断熱区画することで冷却または加熱効率を高め、さらに省エネを図ることができる。また、商品搬出後、商品収納室の商品が商品補充手段にて、保温室へ補充された時、補充された商品が最優先で冷却または加温することにより、補充された商品を短時間で適温にできる。
【発明を実施するための最良の形態】
【００１４】
本発明の請求項１に記載の発明は、自動販売機本体内が商品を冷却または加温状態で収納する保温室と前記保温室に補充する商品を常温で収納する商品収納室とに断熱区画され、前記保温室内の商品を商品取出し口へ排出する商品搬送手段と、前記商品収納室の商品を前記保温室へ補充する商品補充手段とを備えた自動販売機であって、前記商品補充手段により前記商品収納室から前記保温室へ補充した商品を商品補充後の所定時間だけ前記保温室内の他の商品より優先的に冷却または加温する手段を設けたものであり、保温室と商品収納室とを断熱区画して断熱するので、保温室内の冷却または加熱効率を高めることができるとともに、商品搬出後、商品収納室の商品が商品補充手段にて、保温室へ補充された時、補充された商品が最優先で冷却または加温することにより、補充された商品を短時間で適温にできる。
【００１５】
また、請求項２に記載の発明は、請求項１に記載の発明において、前記保温室内で商品が比較的冷却または加温されやすい箇所を設け、前記優先的に冷却または加温する手段を、前記商品補充手段により前記商品収納室から前記保温室へ補充した商品を商品補充後の所定時間だけ前記比較的冷却または加温されやすい箇所に位置させる前記商品搬送手段により構成したものであり、請求項１に記載の発明の作用効果に加えて、商品搬出後、商品収納室の商品が商品補充手段にて、保温室へ補充された時、補充された商品が最優先で冷却または加温できるよう商品搬送手段を制御することにより、補充された商品を短時間で適温にできる。
【００１６】
また、請求項３に記載の発明は、請求項１または２に記載の発明に加えて、補充商品を優先的に冷却または加温する時間を設定する優先時間設定手段を備え、商品補充後、前記優先時間設定手段で設定した時間だけ、補充商品を最優先で冷却または加温することにより、請求項１または２に記載の発明の作用効果に加えて、補充商品を優先的に冷却または加温する時間を容易に変更することができる。
【００１７】
また、請求項４に記載の発明は、請求項１または２に記載の発明に加えて、外気温度を検出する外気温検出手段と、補充商品を優先的に冷却または加温する時間を前記外気温検出手段で検出した外気温に応じて設定する補正優先時間設定手段を備え、商品補充後、前記補正優先時間設定手段で設定した時間だけ、補充商品を最優先で冷却または加温することにより、請求項１または２に記載の発明の作用効果に加えて、季節により、補充商品を優先的に冷却または加温する時間を自動的に最適化することができる。
【００１８】
また、請求項５に記載の発明は、請求項１から４のいずれか一項に記載の発明に加えて、前記保温室内の商品各々に対して、前記保温室に搬送されてから、商品搬出するまでの商品保温時間を演算する商品保温時間演算手段を備え、商品補充時、前回搬出された商品の保温時間を前記商品保温時間演算手段を基に算出し、今回の補充商品に対して、最優先で冷却または加温する時間を補正することにより、請求項１から４のいずれか一項に記載の発明の作用効果に加えて、前回の販売状況に応じて、補充商品を優先的に冷却または加温するのか、ゆっくりと冷却または加温することで補充商品の品質劣化を防ぐ方を優先するのか自動的に切換えることができる。
【００１９】
以下、本発明の自動販売機の実施の形態について、説明する。
【００２０】
（実施の形態１）
図１は本発明の実施の形態１を示す自動販売機の外観斜視図である。図２は同実施の形態の自動販売機における外扉を外した状態の自動販売機本体の斜視図である。図３は同実施の形態の自動販売機における自動販売機本体の概略縦断面図である。
【００２１】
図１に示すように、自動販売機本体２０の前面開口部には外扉２１が配置されている。外扉２１の上部に商品サンプル展示室２２、商品選択手段２３、その下方に商品の広告などを掲示する広告パネル室２４と金銭投入部２５と金額表示手段２６が横並びに備えられ、外扉２１の下部には商品選択手段２３で選択された商品を排出する商品取出し口２７が備えられている。
【００２２】
次に、自動販売機本体２０内の構造について説明する。
【００２３】
図２、図３に示すように、自動販売機本体２０内には略円柱形の商品を横倒し姿勢で収納する１つの商品収納室３１が構成され、商品収納室３１には前後方向に商品を収納する形態の商品収納コラム３２がある。商品収納コラム３２は奥行き方向に向かって下方に傾斜配置する構成となって上下左右に複数列、複数段に構成されている。商品を常温で維持する商品収納室３１の下部には商品を冷却または加温して適温に維持する保温室３３が断熱区画して形成され、商品収納室３１と保温室３３の間には断熱仕切り板３４を配置している。
【００２４】
断熱仕切り板３４も奥行き方向に向かって下方に傾斜配置しており、商品収納コラム３２とほぼ平行になるように傾斜している。また保温室４３の側壁、背壁、底壁も断熱板３５で区画形成されている。断熱仕切り板３４と断熱板３５は真空断熱材で構成されていてもよい。
【００２５】
商品収納室３１の後方には上下方向に亘って空間部３６が形成され、その空間部３６内には商品補充手段３７が構成され、商品を商品収納室３１から保温室３３へ搬送する商品補充手段３７が上下方向に移動自在になるように構成されている。
【００２６】
したがって、自動販売機本体２０内は商品収納室３１の後方に商品補充手段３７の空間部３６が形成され、商品収納室３１と空間部３６の下方に保温室３３が形成されているので、図３のように商品収納室３１の奥行き寸法よりも保温室３３の奥行き寸法の方が大きく構成されている。そして空間部３６と保温室３３とは連通可能に形成され、すなわち断熱仕切り板３４の上部にある空間部３６と対応する位置には連通可能な孔部３４ａが形成され、開閉自在のシャッター３４ｂにより構成されている。
【００２７】
次に保温室３３内の構成について説明する。
【００２８】
保温室３３内には商品を回転撹拌させるゴンドララック３８が構成され、ゴンドララック３８内で商品自身が回転撹拌し、高速冷却または高速加熱するしくみになっている。またゴンドララック３８内の中央部にはゴンドララック３８を正転或いは逆転する駆動部３９があり、この駆動部３９によって商品を前方位置に運ぶように縦回転可能に構成されている。ゴンドララック３８と駆動部３９にて商品搬送手段４０が構成されている。また、ゴンドララック３８内には商品位置を特定できるように特定箇所に特定商品が格納される、いわゆる番地格納部３８ａ，３８ｂ，３８ｃ・・・がそれぞれ設定されている。また、商品搬送手段４０には、ゴンドララック３８の位置を検知できるよう商品位置検知手段４１が設けられ、ゴンドララック３８における番地格納部３８ａ，３８ｂ，３８ｃ・・・の位置が検知できるようになっている。
【００２９】
ゴンドララック３８の下部には冷却装置４２や加温装置４３が配置され保温室３３の冷却または加温を行うように構成されている。なお、ゴンドララック３８は、冷却装置４２の冷気や加温装置４３の暖気（熱気）の保温室３３内での対流や、冷却装置４２と送風装置による冷風や加温装置４３と送風装置による温風（熱風）の流れを妨げない通気構造になっている。
【００３０】
保温室３３の前方には商品排出搬送手段４４が構成され、商品選択手段２３にて、商品が選択されると、ゴンドララック３８に保温された選択商品を商品搬送手段４０にて、商品排出搬送手段４４を介して、商品取出し口２７へ排出される。
【００３１】
以上のように構成された自動販売機の動作について説明する。
【００３２】
自動販売機２０内の商品は、常温の商品収納室３１の商品収納コラム３２内に横倒し姿勢で収納されている。商品収納室３１の領域と空間部３６の領域は常温に維持されているので長期間ストックされていても品質を維持できる。
【００３３】
そして、商品収納コラム３２内の最後方部にある商品から順番に商品補充手段３７によって保温室３３内に搬送される。このとき、断熱仕切り板３４に形成したシャッター３４ｂは通常は閉じて空間部３６と保温室３３を区画しているが、商品補充手段３７が動作する時にシャッター３４ｂが開き、商品補充手段３７が保温室３３内に侵入し、保温室３３内のゴンドララック３８の特定位置に商品を搬送する。
【００３４】
したがって、商品の搬送時以外はシャッター３４ｂを閉じて熱の移動を遮断しているので保温室３３内の冷却または加温効率を高め、省エネを図ることができる。また、商品収納室３１内を保温室３３からの熱影響を低減できるので商品の品質劣化を低減し長期の商品保存を実現できる。
【００３５】
そして、保存室３３内ではゴンドララック３８内の番地格納部３８ａが商品の格納分だけ構成されており、商品補充手段３７から運ばれてくる商品に対して特定の番地格納部３８ａへ収納され、別の商品には、その別の商品に対して特定された番地格納部３８ｂへ収納される。
【００３６】
そして、ゴンドララック３８内の商品は冷却装置４２または加温装置４３によって冷却または加温され、適温に保温されている。
【００３７】
次に商品販売後に、商品収納室３１から保温室３３へ補充された商品の冷却または加温動作について説明する。
【００３８】
図４は本発明の実施の形態１における自動販売機の機能ブロック図である。図５は同実施の形態の自動販売機の動作を示すフローチャートである。
【００３９】
図４において、格納商品記憶手段４５には、ゴンドララック３８における番地格納部３８ａ，３８ｂ，３８ｃ・・・に格納されている商品番号が記憶されている。演算制御部５０ａは、商品選択手段２３とシャッター３４ｂと商品補充手段３７と商品搬送手段４０と商品位置検知手段４１と冷却装置４２と加温装置４３が接続され、制御装置としての制御を行っている。
【００４０】
以上のように構成された本実施の形態の自動販売機について、以下、図５を用いて動作を説明する。
【００４１】
利用者が、商品を購入する時、商品選択手段２３が操作されたか判定する（ＳＴＥＰ１）。商品選択手段２３の入力を検知した時、ＳＴＥＰ２へ進み、搬出商品の格納位置の判定を行う。
【００４２】
つまり、商品選択手段２３にて選択された商品がゴンドララック３８のどの番地格納部３８ａ，３８ｂ，３８ｃ・・・に格納されているか格納商品記憶手段４５を基に判断し、搬出商品の番地格納部３８ａ，３８ｂ，３８ｃ・・・を確定する。本実施の形態では、番地格納部３８ａの商品を選択されたと仮定し、説明する。
【００４３】
次に、ＳＴＥＰ３にて、番地格納部３８ａがゴンドララック３８のどの位置にあるのか商品位置検知手段４１にて判定する。そして、番地格納部３８ａの位置を確定した後、現在位置する番地格納部３８ａを商品取出し口２７へ移動するのに商品搬出手段４０の駆動部３９を動作させ、番地格納部３８ａの商品を商品排出搬送手段４４を通じて、商品取出し口２７へ搬出する（ＳＴＥＰ４）。商品搬出後、商品搬出手段４０の駆動部３９を動作させ、商品搬出により空となった番地格納部３８ａを断熱仕切り板３４の下部に移動させ、シャッター３４ｂを開け、商品補充手段３７にて、商品収納コラム３２内にある搬出した商品と同じ種類の商品を番地格納部３８ａへ補充し、シャッター３４ｂを閉める（ＳＴＥＰ５）。
【００４４】
次に、商品搬出手段４０の駆動部３９を動作させ、商品位置検知手段４１を基に番地格納部３８ａを冷却風路または加温風路における最も上流側の位置に移動すると共に、冷却装置４２或いは加温装置４３を動作させる（ＳＴＥＰ６）。所定時間経過すると、ＳＴＥＰ７へ進み、冷却装置４２、加温装置４３、商品搬出手段４０の駆動部３９を定期的に動作させ、保温室３３内の商品が、均一に冷却或いは加温できるように制御する。
【００４５】
以上のように本実施の形態の自動販売機によれば、商品収納室３１と冷却または加温する保温室３３とを断熱区画形成によって断熱するので、保温室３３内の冷却または加熱効率を高めることができるとともに、商品搬出後、保温室３３内へ移動した補充商品を優先的に冷却または加温することにより、補充商品を短時間で適温にできる。
【００４６】
また、本実施の形態の自動販売機は、商品を選択する時に操作される商品選択手段２３と、自動販売機本体２０内の商品収納空間を商品収納室３１と保温室３３とに仕切る断熱仕切り板３４と、保温室３３内を冷却する冷却装置４２と、保温室３３内を加温する加温装置４３と、保温室３３内に正転または逆転可能に設けられ、複数の商品を一つずつ格納する番地格納部３８ａ，３８ｂ，３８ｃ・・・を商品の種類と同数以上有し、番地格納部３８ａ，３８ｂ，３８ｃ・・・に格納された商品を保温室３３内で移動させ、商品選択手段２３により商品が選択された場合は選択された商品を商品排出搬送手段４４を通じて商品取出し口２７へ搬出するゴンドララック３８と、ゴンドララック３８の位置を検出する商品位置検知手段４１と、ゴンドララック３８を正転または逆転させる駆動部３９と、ゴンドララック３８のどの番地格納部３８ａ，３８ｂ，３８ｃ・・・にどの商品を格納したかを記憶する格納商品記憶手段４５と、商品収納室３１の商品をゴンドララック３８の空の番地格納部３８ａ，３８ｂ，３８ｃ・・・へ補充する商品補充手段３７と、断熱仕切り板３４に形成され、通常は閉じており商品補充手段３７が商品補充動作をする時に商品補充手段３７の商品補充動作を妨げないように開くシャッター３４ｂと、商品選択手段２３と冷却装置４２と加温装置４３と商品位置検知手段４１と駆動部３９と格納商品記憶手段４５と商品補充手段３７とシャッター３４ｂとに接続された演算制御部５０ａとを備え、商品選択手段２３が操作されると、演算制御部５０ａは、商品選択手段２３にて選択された商品がゴンドララック３８のどの番地格納部３８ａ，３８ｂ，３８ｃ・・・に格納されているか格納商品記憶手段４５を基に判断し、その判断で商品選択手段２３にて選択された商品を格納していると判明した番地格納部３８ａ，３８ｂ，３８ｃ・・・がゴンドララック３８のどの位置にあるのか商品位置検知手段４１にて判定し、その判定結果に基づき駆動部３９を動作させてゴンドララック３８を正転または逆転して商品選択手段２３にて選択された商品を格納している番地格納部３８ａ，３８ｂ，３８ｃ・・・の商品を商品排出搬送手段４４を通じて商品取出し口２７へ搬出し、商品搬出により空となった番地格納部３８ａ，３８ｂ，３８ｃ・・・が商品補充手段３７により商品補充可能な位置にくるように駆動部３９を動作させてゴンドララック３８を正転または逆転させると共にシャッター３４ｂを開け、商品補充手段３７にて搬出した商品と同じ商品を空の番地格納部３８ａ，３８ｂ，３８ｃ・・・へ補充し、空の番地格納部３８ａ，３８ｂ，３８ｃ・・・へ商品補充完了後にシャッター３４ｂを閉め、補充された商品を格納した番地格納部３８ａ，３８ｂ，３８ｃ・・・が所定時間だけ比較的冷却装置４２により冷却されやすい位置または比較的加温装置４３により加温されやすい位置にくるように駆動部３９を動作させてゴンドララック３８を正転または逆転させて補充された商品を補充後の所定時間だけ優先的に冷却または加温することを特徴とするものである。
【００４７】
上記のように構成された本実施の形態の自動販売機は、商品選択手段３７で商品が選択されると、保温室３３で適温に保温されている複数種類の商品の中から、選択された商品と同じ商品を探して商品取出し口２７へ搬出し、その搬出した商品と同じ商品を商品収納室３１から保温室３３に補充し、商品収納室３１から保温室３３に商品を補充する時には自動販売機本体２０内の商品収納空間を商品収納室３１と保温室３３とに仕切る断熱仕切り板３４に形成され通常は閉じているシャッター３４ｂが商品補充動作を妨げないように開き、商品収納室３１から保温室３３に補充した商品を、補充後の所定時間だけ比較的冷却装置４２により冷却されやすい位置または比較的加温装置４３により加温されやすい位置に配置して、補充後の所定時間だけ優先的に冷却または加温するので、保温室３３内の冷却または加熱効率を高めることができるとともに、補充された商品を短時間で適温にできる。
【００４８】
尚、本実施の形態では、補充商品を優先的に冷却或いは加温する為に、補充商品を冷却風路または加温風路における最も上流側の位置になるよう、商品搬出手段４０の駆動源３９を動作後停止させたが、駆動部３９の動作速度を可変となるようにし、冷却風路または加温風路付近に補充商品がきた時のみ駆動部３９の動作速度を遅くすることで、補充商品を優先的に冷却または加温する制御にしてもよい。或いは、優先的に冷却または加温するときだけ、冷却または加温の風量を強くしたり風路を制限したり、補助冷却装置または補助加温装置を動作させたり、冷却装置により冷却または加温装置により加温される熱伝導性が良好な部材を設けて、その部材と補充商品とを熱交換させることにより、補充商品を冷却または加温してもよい。
【００４９】
（実施の形態２）
図６は本発明の実施の形態２における自動販売機の機能ブロック図である。図７は同実施の形態の自動販売機の動作を示すフローチャートである。なお、実施の形態１と同一構成については、同一符号を付して詳細な説明は省略する。
【００５０】
図６に示すように、優先時間設定手段４６は、商品搬出後、商品収納室３１から保温室３３へ補充した補充商品を優先的に冷却または加温する時間を設定するものであり、演算制御部５０ｂに接続されている。本実施の形態の自動販売機は、実施の形態１の自動販売機に優先時間設定手段４６を加え、実施の形態１における演算制御部５０ａを演算制御部５０ｂに置き換えたものに相当する。
【００５１】
本実施の形態の演算制御部５０ｂは、実施の形態１における演算制御部５０ａの制御機能に優先時間設定手段４６に関連する制御機能を加えたものであり、優先時間設定手段４６で設定された時間だけ、商品補充後、優先的に補充商品を冷却または加温する。
【００５２】
以上のように構成された本実施の形態の自動販売機について、以下図７を用いて、その動作を説明する。
【００５３】
まず、自動販売機管理者は、自動販売機のメンテナンス時に、商品販売後に補充される商品に対して、優先的に、冷却或いは加温する時間を、優先時間設定手段４６にて、設定する。
【００５４】
利用者が商品の購入により商品を搬出した後、商品収納室３１から保温室３３へ補充した補充商品を優先的に冷却または加温するまでの動作は実施の形態１のＳＴＥＰ１からＳＴＥＰ６までの動作と同じであり、省略する。ＳＴＥＰ６にて、補充商品を優先的に冷却または加温を開始すると、ＳＴＥＰ１７に進み、優先時間設定手段４６にて設定された時間経過したか判定する。優先時間設定手段４６にて設定された時間経過すると、ＳＴＥＰ１８へ進み、ゴンドララック３８の駆動部３９を一定速度で動作させ、ゴンドララック３８内の商品を均等に冷却または加温する。
【００５５】
以上のように本実施の形態の自動販売機によれば、補充商品を優先的に冷却または加温する時間を設定する優先時間設定手段４６を備え、商品補充後、優先時間設定手段４６で設定した時間だけ、補充商品を最優先で冷却または加温することにより、補充商品を優先的に冷却または加温する時間を容易に変更することができる。
【００５６】
（実施の形態３）
図８は本発明の実施の形態３における自動販売機の機能ブロック図である。図９は同実施の形態の自動販売機の動作を示すフローチャートである。なお、実施の形態１または実施の形態２と同一構成については、同一符号を付して詳細な説明は省略する。
【００５７】
図８に示すように、本実施の形態の自動販売機は、実施の形態１の自動販売機の構成に加えて、自動販売機周辺の外気温度を検知する外気温検知手段４７と、補充商品を優先的に冷却または加温する時間を外気温検出手段４７で検出した外気温に応じて設定する補正優先時間設定手段４８とを備え、実施の形態１の自動販売機における演算制御部５０ａの代わりに、演算制御部５０ａの制御機能に外気温検知手段４７と補正優先時間設定手段４８に関連する制御機能を加えた演算制御部５０ｃを設けたものに相当する。
【００５８】
以上のように構成された本実施の形態の自動販売機について、以下図９を用いて、その動作を説明する。
【００５９】
利用者が商品の購入により商品を搬出した後、商品収納室３１から保温室３３へ商品を補充するまでの動作は実施の形態のＳＴＥＰ１からＳＴＥＰ５までの動作と同じであり、省略する。
【００６０】
ＳＴＥＰ５にて、商品収納室３１の商品を保温室３３内の番地格納部３８ａに補充した後、ＳＴＥＰ２４に進み、外気温度検知手段４７で自動販売機周辺の外気温度を判定する。そして、ＳＴＥＰ２５に進み、外気温度検知手段４７で検知した外気温度を基に補正優先時間設定手段４８にて、保温室３３内の番地格納部３８ａに補充した商品の冷却または加温する時間を設定する。
【００６１】
ＳＴＥＰ２６にて、保温室３３内の番地格納部３８ａに補充した商品の冷却または加温を優先的に行えるように、ゴンドララック３８の駆動部３９と冷却装置４２または加温装置４３を制御する。そして、ＳＴＥＰ２７に進み、補正優先時間設定手段４８にて設定された時間経過したか判定する。補正された優先時間が経過すると、ＳＴＥＰ２８へ進み、ゴンドララック３８の駆動部３９を一定速度で動作させ、ゴンドララック３８内の商品を均等に冷却または加温する。
【００６２】
以上のように本実施の形態の自動販売機によれば、外気温度を検出する外気温検出手段４７と、外気温に応じて、優先的に補充商品の冷却または加温する時間を補正する補正優先時間設定手段４８を備え、商品補充後、補正優先時間設定手段４８で設定した時間だけ、補充商品を最優先で冷却または加温することにより、季節により、補充商品を優先的に冷却または加温する時間を容易に変更することができる。
【００６３】
（実施の形態４）
図１０は本発明の実施の形態４における自動販売機の機能ブロック図である。図１１は同実施の形態の自動販売機の動作を示すフローチャートである。なお、実施の形態１から実施の形態３と同一構成については、同一符号を付して詳細な説明は省略する。
【００６４】
図１０に示すように、本実施の形態の自動販売機は、実施の形態１の自動販売機の構成に加えて、保温室３３内のゴンドララック３８における番地格納部３８ａ，３８ｂ，３８ｃ・・・の商品各々に対して、保温室３３に搬送されてから、商品搬出するまでの商品保温時間を演算する商品保温時間演算手段４９を備え、実施の形態１の自動販売機における演算制御部５０ａの代わりに、演算制御部５０ａの制御機能に、商品補充時、前回搬出された商品の保温時間を商品保温時間演算手段４９を基に算出し、今回の補充商品に対して、最優先で冷却または加温する時間を補正する制御機能を加えた演算制御部５０ｄを設けたものに相当する。
【００６５】
以上のように構成された本実施の形態の自動販売機について、以下図１１を用いて、その動作を説明する。
【００６６】
利用者が商品の購入により商品を搬出するまでの動作は実施の形態のＳＴＥＰ１からＳＴＥＰ４までの動作と同じであり、省略する。ＳＴＥＰ４にて商品搬出後、今回搬出した商品を保温室３３内で保温していた時間を商品保温時間演算手段４９にて演算する（ＳＴＥＰ３１）。
【００６７】
そして、ＳＴＥＰ３２へ進み、商品保温時間演算手段４９にて演算した前回保温時間を基に補充商品を優先的に冷却または加温する時間を補正する。前回保温時間が短い場合は、売れ行きが良いということであり、商品補充後、最短で補充商品を最適温度にする必要があるので、優先時間を長くする。
【００６８】
逆に、前回保温時間が長い場合は、売れ行きの悪かった商品であり、商品を補充しても、優先的に最適温度にする必要もなく、他の保温商品と均等に冷却または加温しても支障がない確率が高いので、優先時間を短くする。次にＳＴＥＰ３３で、実施の形態１のＳＴＥＰ５と同等のやり方で、商品収納室３１から保温室３３へ商品を補充すると共に、今回補充した補充商品の保温時間を初期化する。
【００６９】
そして、保温室３３内の番地格納部３８ａに補充した商品の冷却または加温を優先的に行えるように、ゴンドララック３８の駆動部３９と冷却装置４２または加温装置４３を制御する（ＳＴＥＰ３４）。そして、ＳＴＥＰ３２で演算した優先時間、冷却または加温時間が経過したか判定する（ＳＴＥＰ３５）。補正された優先時間が経過すると、ＳＴＥＰ３６へ進み、ゴンドララック３８の駆動部３９を一定速度で動作させ、ゴンドララック３８内の商品を均等に冷却または加温する。
【００７０】
以上のように本実施の形態の自動販売機によれば、保温室３３内の商品各々に対して、保温室３３に搬送されてから、商品搬出するまでの商品保温時間を演算する商品保温時間演算手段４９を備え、商品補充時、前回搬出された商品の保温時間を商品保温時間演算手段４９を基に算出し、今回の補充商品に対して、最優先で冷却または加温する時間を補正することにより、前回の販売状況に応じて、補充商品を優先的に冷却または加温するのか、ゆっくりと冷却または加温することで補充商品の品質劣化を防ぐ方を優先するのか自動的に切換えることができる。
【産業上の利用可能性】
【００７１】
以上のように、本発明にかかる自動販売機は、収納室と保温室を上下に区画し、保温室へ補充された時、補充された商品が最優先で冷却または加温できるよう駆動源を制御することにより、補充された商品を短時間で適温にできるので、様々な自動販売機に適用できる。
【図面の簡単な説明】
【００７２】
【図１】本発明の実施の形態１における自動販売機の外観斜視図
【図２】同実施の形態の自動販売機における自動販売機本体の斜視図
【図３】同実施の形態の自動販売機における自動販売機本体の概略縦断面図
【図４】同実施の形態の自動販売機の機能ブロック図
【図５】同実施の形態の自動販売機の動作を示すフローチャート
【図６】本発明の実施の形態２における自動販売機の機能ブロック図
【図７】同実施の形態の自動販売機の動作を示すフローチャート
【図８】本発明の実施の形態３における自動販売機の機能ブロック図
【図９】同実施の形態の自動販売機の動作を示すフローチャート
【図１０】本発明の実施の形態４における自動販売機の機能ブロック図
【図１１】同実施の形態の自動販売機の動作を示すフローチャート
【図１２】従来の自動販売機の自動販売機本体の概略縦断面図
【符号の説明】
【００７３】
２０  自動販売機本体
２３  商品選択手段
２７  商品取出し口
３１  商品収納室
３３  保温室
３４  断熱仕切り板
３４ｂ  シャッター
３７  商品補充手段
３８  ゴンドララック
３８ａ，３８ｂ，３８ｃ  番地格納部
３９  駆動部
４０  商品搬送手段
４１  商品位置検知手段
４２  冷却装置
４３  加温装置
４４  商品排出搬送手段
４５  格納商品記憶手段
４６  優先時間設定手段
４７  外気温検出手段
４８  補正優先時間設定手段
４９  商品保温時間演算手段
５０ａ，５０ｂ，５０ｃ，５０ｄ  演算制御部
【図１】
2008310558.tif 000003
【図２】
2008310558.tif 000004
【図３】
2008310558.tif 000005
【図４】
2008310558.tif 000006
【図５】
2008310558.tif 000007
【図６】
2008310558.tif 000008
【図７】
2008310558.tif 000009
【図８】
2008310558.tif 000010
【図９】
2008310558.tif 000011
【図１０】
2008310558.tif 000012
【図１１】
2008310558.tif 000013
【図１２】
2008310558.tif 000014